(57)【要約】  本発明は、（ａ）毒餌含有ブリスター包装（ｃ）の使用に適合させてある毒餌箱；（ｂ）有害生物の防除において毒餌箱と毒餌含有ブリスター包装からなる毒餌含有ブリスター包装を使用するためのシステム；（ｃ）該毒餌箱及び該システムの使用；及び、（ｄ）有害生物を防除する方法に関する。
2007535952.tif 000002
【特許請求の範囲】
【請求項１】
有害生物を防除するための毒餌箱であって、防除対象の有害生物に合うように適合させた少なくとも１つの進入路及び毒餌容器を開けるための少なくとも１つの装置を含んでいる前記毒餌箱。
【請求項２】
毒餌容器（毒餌含有ブリスター）を導入するための少なくとも１つのポートを含んでいる、請求項１に記載の毒餌箱。
【請求項３】
毒餌容器（毒餌含有ブリスター）を導入するための前記ポートが側面に配置されてる、請求項１又は２に記載の毒餌箱。
【請求項４】
上部が透明である、請求項１、２又は３に記載の毒餌箱。
【請求項５】
前記毒餌含有ブリスターを開けるための前記装置が、ばね付きの曲がったブレードとして設計されている、請求項１〜４のいずれかに記載の毒餌箱。
【請求項６】
（ａ）請求項２〜５のいずれかに記載の毒餌箱と（ｂ）毒餌含有ブリスターからなる有害生物を防除するためのシステムであって、該毒餌箱のポートと該毒餌含有ブリスターの形状が、毒餌含有ブリスターを該ポートを介して寸法的に正確なやり方で毒餌箱の中に押し込むことができるように適合させてあることを特徴とする、前記システム。
【請求項７】
有害生物を防除するための、請求項１〜５のいずれかに記載の毒餌箱又は請求項６に記載のシステムの使用。
【請求項８】
有害生物を防除する方法であって、
第一段階において、請求項１〜５のいずれかに記載の１つ以上の毒餌箱を適切な場所に配置する；
第二段階において、開けられていない毒餌含有ブリスターを当該毒餌箱の中に導入する（導入される過程において、該毒餌含有ブリスターが開けられる）；
第三段階において、毒餌を入れた該毒餌箱を用いて当該有害生物を防除する；
及び、
第四段階において、防除手順が終了するまで、消費された毒餌含有ブリスターを未使用の毒餌含有ブリスターと置き換える；
ことを特徴とする、前記方法。
【発明の詳細な説明】
【技術分野】
【０００１】
本発明は、毒餌含有ブリスターの使用に適合させてある毒餌箱；有害生物の防除において毒餌箱と毒餌含有ブリスターからなる毒餌含有ブリスターを使用するためのシステム；該毒餌箱又は該システムの使用；及び、有害生物を防除する方法に関する。
【背景技術】
【０００２】
従来技術によって、有害生物を防除するためのさまざまな毒餌箱が記述されている。ＵＳ  ３，７５０，３２６には、側面進入路と頂部に配置されたチェック用窓を有する厚紙製毒餌箱が開示されている。ＵＳ  ４，３４９，９８２には、側面進入路と毒餌箱に流動性毒餌を補充するのに適した頂部に配置されたポートを有するプラスチック製の毒餌箱が開示されている。ＤＥ−Ａ  １９５０１８９２には、側面進入路は有さず、ある距離を隔てて配置された場合により透明であっても良いフィルムで覆われた頂部開口型毒餌箱が開示されている。ＷＯ  ０２／１０２１４７及びＵＳ  ５，１３６，８０３には、さまざまなデザインの毒餌箱が記述されており、ここで、それらの蓋は、毒餌箱に毒餌を補充するために、及び、チェックするために開口可能であり、また、それらの蓋には、さらに、ブロック形状の毒餌を適切な位置に保持するための装置も備え付けられている。ＤＥ−Ａ  ３６１１１２２には、動物を治療するための薬学的に活性な物質を有する餌含有ブリスターが記載されている。
【０００３】
公知毒餌箱は、固形毒餌の使用には適しているが、それらは、一連の不利点を有している。毒餌箱に蝋ブロック又はペーストなどの固形毒餌を入れるために、該毒餌箱を開けなければならない。これらの堅く成形された毒餌が外に落ちるのを防いだり、又は、齧歯類動物により持ち去られるのを防止するために、そのような毒餌は、正確に整合する区画又は格子の中に置くか（ＤＥ−Ａ  ３９０５４８９）、又は、金属製の串状のものに突き通すか（ラット用の、Ｐｒｏｔｅｃｔａ（登録商標）  Ｔａｍｐｅｒ  Ｒｅｓｉｓｔａｎｔ  Ｂａｉｔ  Ｂｏｘ）、又は、適切な場所にワイヤで保持する（ＤＥ−Ｕ  ２９９０１５７８）。流動性の毒餌のみが、毒餌箱を開けずに導入可能である（ＵＳ  ４，３４９，９８２）。
【０００４】
公知毒餌箱のさらに別の不利点は、それらの構造の結果として、毒餌含有ブリスターと一緒に使用するのに適していないか又はあまり適していないということである。
【０００５】
公知毒餌箱のさらに別の不利点は、特に毒餌含有ブリスターを用いた場合に、容易な及び／又は迅速な補充が不可能であるということである。
【０００６】
公知毒餌箱のさらに別の不利点は、該毒餌箱の迅速で簡単なチェックが不可能であるということである。
【０００７】
有害生物は、しばしば、毒餌を用いて防除される。それらの毒餌は、それらが非標的動物により摂取されること又は気候因子若しくは洗浄方法などの非生物的要因の影響を受けることを除外することが可能である場合、隠さずに置くことができる。これらの影響を概ね除外するために、毒餌箱（ベイトステーションとも称される）がたびたび使用される。
【０００８】
有害な昆虫を防除するための毒餌箱は、概して、プラスチック製であり、製造元により既に毒餌が入れられている。昆虫は、１つ以上の進入路により毒餌に接近する。可能な場合には、それら昆虫を毒餌で引き寄せるようにすべきである。概して、これらの毒餌箱は補充せずに、当該防除が達成された後で廃棄される。
【０００９】
有害な齧歯類動物（特に、マウス）用の毒餌箱は、充填済み毒餌箱として幾つかの製造元から提供されている。それらは、１つ以上の堅く成形された毒餌を含んでいる。この場合も同様に、これらの毒餌箱は、概して、補充せずに、当該防除が達成された後で廃棄される。別の方法として、防除手順中に使用者により繰り返し補充される毒餌箱を使用する。これらの毒餌は、複数の防除活性で使用することが可能であるか、又は、蔓延を連続的に予防するために適切な場所に置いておくが、その際、最大で３ヶ月の間隔で補充する。しばしば、これらのベイトステーションは、許可のないものが接近するのを困難なものとするために、密閉されているか（ＷＯ  ０２／１０２１４７）、又は、それらは、標的動物のみが毒餌に達するように設計されている（ＤＥ−Ａ  ３９０５４８９）。
【００１０】
予め毒餌が詰められている毒餌箱（これは、使用後に廃棄される）の使用と比較して、再使用可能な毒餌箱を開けることは、付加的な段階であり、その複雑さは、当該毒餌箱の密閉機構に依存する。堅く成形された毒餌は、手で扱わなければならない。訓練を受けた専門的な使用者は、皮膚が汚染されるのを防止するために保護手袋を着ける。毒餌箱に堅く成形された毒餌を入れるには作業時間が必要であり、また、保護手袋を着けなければならない。
【００１１】
未使用状態にある堅く成形された毒餌は適切な場所に固定するのが容易であるが、ひとたび齧歯類動物がそれらの毒餌を食べ始めた後では、その毒餌の一部分が当該ベイトステーションから落ちるか又は持ち去られる危険性が存在している。
【００１２】
毒餌箱を開けることなく外部から毒餌を入れることが可能な毒餌箱は、流動性の毒餌については公知である。その場合、毒餌粒子がベイトステーションから落ちるか又は持ち去られる危険性が増大するが、このような危険性は、特に、動物の飼育並びに食料及び飼料の製造においては除かれなければならない。従って、毒餌箱に外部から導入される流動性の毒餌は、安全性に対して深刻な危険性を有している。
【００１３】
このような理由により、動物の飼育並びに食料及び飼料の製造において用いられる毒餌は、主に堅く成形された毒餌である。それらは、消費されていない状態にある間は適切な場所に容易に固定することが可能であるが、齧歯類動物によって部分的に消費された場合には、同様に、毒餌の一部が毒餌箱から落ちるか又は持ち去られる危険性が存在している。さらに、部分的に消費された堅く成形された毒餌は、環境を汚染する危険性を有している。
【００１４】
毒餌は、製造元による取扱説明書に示されているような量で毒餌箱内に配置されるべきである。従って、流動性毒餌の分量は、それらを導入する前に量らなければならない。そうすることで、毒餌を落としやすい。概して、非専門的な使用者は、毒餌を分量に分けるための装置を有していない。間違った薬量は、首尾よい防除に悪影響を及ぼし得る。流動性の毒餌を計量することは、間違いを生み出す元となり得るし、また、使用者及び環境を毒餌に晒す危険性をもたらす。
【００１５】
毒餌は、その含有量が１つのベイトステーションに対する推奨量に相当する分割されたパックで提供することができる。それらの分量を保存可能とするためには、それらは密閉されされなければならず、香気を逃がしてはならない。使用に際しては、それらは、標的動物（例えば、マウス）を引き寄せるために開けられなければならず、適切な場合には、マウスを引き寄せる。使用する包装材料に応じて、この手順は労力を必要とし得るか、又は、当該包装が、望まれる程度を越えて破壊される可能性がある。これは、使用者の皮膚が毒餌と接触する危険性又は毒餌がこぼれ落ちる危険性を伴う。分割された包装は、使用するためには開けられなければならず、使用者及び環境を毒餌に晒す危険性をもたらす。
【発明の開示】
【発明が解決しようとする課題】
【００１６】
本発明の目的は、新規な毒餌箱及び毒餌システムを提供することにより、上記不利点を取り除くことである。
【課題を解決するための手段】
【００１７】
上記目的は、請求項１の特徴及びさらに付け加えられている請求項の特徴により達成される。
【発明を実施するための最良の形態】
【００１８】
本発明に関連して、とりわけ、以下の用語が使用される。  有害生物は、有害な齧歯類動物、有害な昆虫又はナメクジ及びカタツムリである。有害な齧歯類動物は、特に、ラット、マウス及びハタネズミである。有害な昆虫は、特に、ゴキブリ、アリ及びシロアリなどのうじゃうじゃと群れる昆虫（crawling insect）である。
【００１９】
ブリスターパックは、食品部門及び薬物学的部門において包装目的で既に広く使用されており、また、当業者には概して知られている。そのような包装の特徴は、包装対象の材料（本発明の場合は、毒餌）を収容するための比較的堅い材料（「ブリスターシェル」）で作られている片側のみが開いた成形物品と、比較的柔軟な材料（「ブリスターフィルム」）で作られている当該成形物品の覆いである。
【００２０】
毒餌は、有効濃度で当該有害生物に対して活性を示す少なくとも１種類の毒薬と少なくとも１種類の食材を含んでいる、当該有害生物により食される組成物である。使用する毒薬は、標的動物に応じて、殺鼠剤又は殺虫剤である。毒餌についての多数の異なった製剤が当業者には知られており、また、市販されている。毒餌は、堅く成形された成形物品（「毒餌ブロック」）として製剤することができるか、自由流動性若しくは流動性の毒餌として製剤することができるか、又は、ゲル（「毒餌ゲル」）として製剤することができる。
【００２１】
毒餌ゲルは、ペースト状又はゲル様のコンシステンシーを有する毒餌である。一般的な毒餌ゲルの粘度は、広い範囲で変えることが可能であり、そして、一般に、５０００〜１０００００ｍＰａｓ、好ましくは、８０００〜６００００ｍＰａｓ、特に好ましくは、１００００〜５００００ｍＰａｓである。その粘度は、回転粘度計（rotary viscometer）(ＨＡＡＫＥ製)を使用してＤ＝１０［１／秒］の剪断速度で測定するか、又は、円錐平板システム（cone- and-plate system）（４°）を用いて測定する。該毒餌ゲルは異種混交であることから、示度は、さまざまな値となる。その粘度は、当該成分（特に、増粘剤及び毒餌材料）の種類及び重量比率を変えることにより、調節することができる。毒餌ゲルは、例えば、ＷＯ  ０３／０９４６１２により、公知である。それに開示されている毒餌ゲル組成物は、本明細書において特に言及される。脂肪をベースとするペースト状製剤（「ペースト状毒餌ゲル」）は、概して、当業者には知られている。
【００２２】
毒餌ブロックは、固体形態の毒餌である。毒餌ブロックは、さまざまな形態のものが知られている。それらの寸法は、防除対象の有害生物に依存し、１ｇ〜３００ｇの範囲でさまざまな値となる。そのような毒餌ブロックは、例えば、ＤＥ−Ａ  １９８３７０６４により、当業者には公知である。
【００２３】
毒餌ブリスターは、ブリスターパック内に入れられた毒餌である。原則として、どのような毒餌でも使用可能である。当該ブリスターに付着する毒餌を使用するのが好ましい。適する例は、毒餌ゲル及び毒餌ブロックである。毒餌ブロックは、好ましくは、加熱して、液体状態にある間に、当該ブリスターに注ぎ入れ、注ぎ入れらた毒餌はそのブリスターの中で室温で固化する。毒餌ブリスターの有利点は、それらが、たとえ水を含んでいたとしても、使用に際して新鮮且つ柔らかいということである。マウスを防除するためには、１回分に、１ｇ〜５０ｇの毒餌を含有させ、好ましくは、３ｇ〜３０ｇ、特に好ましくは、５ｇ〜１５ｇの毒餌を含有させる。ラットを防除するためには、１回分に、１０ｇ〜３００ｇを含有させる。適切なパックの含有量は、２０ｇ〜２００ｇ、特に適切には、７０ｇ〜１３０ｇである。
【００２４】
毒餌箱は、有害生物を防除するための箱であって、当該有害生物のための少なくとも１つの側面進入路及び毒餌のための空間を含んでいる。好ましくは、該毒餌箱は２つの側面進入路を有している。該側面進入路の寸法は、防除対象の有害生物に合うように適合させる。
【００２５】
有害生物のための進入路（ｂ）に加えて、本発明の毒餌箱は、さらに、毒餌含有ブリスター（ｄ）を開けるための少なくとも１つの装置を有している。毒餌含有ブリスターを「開ける」とは、該ブリスターフィルムに傷を付けることを意味し、ここで、該ブリスターフィルムに傷を付けた結果、有害生物は毒餌に気付くことができ、また、その傷は、有害生物が毒餌に達することが可能なほどに該有害生物が該ブリスターを開けるのに充分な程度の傷である。毒餌含有ブリスターを「開ける」のは、例えば、該ブリスターに穴を開けるか、該ブリスターを引き裂くか若しくは該ブリスターに切り込みを入れることにより達成されるか、又は、該ブリスターフィルムを完全に取り除くことにより達成される。
【００２６】
有害生物のための進入路（ｂ）に加えて、本発明の毒餌箱は、好ましくは、さらに、毒餌含有ブリスターを導入するための少なくとも１つのポート（ｃ）及び該毒餌含有ブリスターを開けるための装置（ｄ）を有している。毒餌含有ブリスターを導入するためのポートは、該毒餌箱の頂部、側面又は底部に配置可能である。側面ポートが好ましい。
【００２７】
好ましい側面ポート（ｂ）は、その寸法が、毒餌含有ブリスター（ｅ）を該ポートを介して寸法的に正確なやり方で毒餌箱の中に水平方向に押し込むことができるように、毒餌含有ブリスター（ｅ）の断面と整合しているものである。「寸法的に正確な」は、隙間の大きさが、該防除対象有害生物の侵入を防止し且つ該毒餌をかじるのを困難なものとするのに充分なほど小さいものであることを意味するものと理解される。０．１〜５ｍｍの隙間の大きさが適切であり、０．５〜２ｍｍの隙間の大きさが好ましい。
【００２８】
好ましい実施形態では、該側面ポートは、付加的な装置、例えば、垂れ蓋又はスライドバーなどにより、閉じることが可能である。
【００２９】
好ましい実施形態では、該毒餌含有ブリスターは、適切な装置を用いて毒餌箱内の適切な位置に固定される。これは、例えば、２つの水平壁又は複数の止めピンにより達成され得る。
【００３０】
毒餌含有ブリスター（ｄ）を開けるための好ましい装置は、該毒餌箱の蓋の内部に取り付けられた堅い材料で作られている垂直なストリップ（「ブレード」）である。このブレードは、該蓋に弾性的に連結されていて、導入された毒餌パックが適切な位置に固定されるその場所の上部に位置している。リラックス状態では、該毒餌箱の底と該ブレードの下縁の間の距離は毒餌パックの高さより小さい。毒餌含有ブリスターが滑るように入っていくと、その毒餌含有ブリスターの堅い縁部が該ブレードを押し上げる。毒餌パックが毒餌箱内の想定された位置に到達したときには、該パックの押し込み方向の縁部は該ブレードの下縁の後ろの位置に到達している。該ブレードの弾力性は、すぐに本来の場所に跳ね戻るが、その過程において毒餌パックのフィルムを突き刺すように調製する。好ましくは、該ブレードは、できるだけ大きな裂け目がもたらされるように曲線状に曲げられている。  代替的な実施形態では、毒餌含有ブリスター（ｄ）を開けるために、ウィック、ピン又はフックが設けられている。
【００３１】
代替的な実施形態では、毒餌含有ブリスター（ｄ）を開けるために、カッティングホイールが設けられている。
【００３２】
代替的な実施形態では、毒餌含有ブリスター（ｄ）を開けるために、複数の装置が設けられている。
【００３３】
代替的な実施形態では、毒餌含有ブリスター（ｄ）を開けるための装置は、調節手段を含み得る。好ましくは、装置（ｄ）を高位置及び／又は低位置に導くのに適しているフック又はハンドル（ｇ）を使用する。好ましくは、毒餌含有ブリスター（ｅ）を移動させるために、構成要素（ｇ）を用いて装置（ｄ）を高位置に導く。
【００３４】
毒餌含有ブリスター（ｄ）を毒餌箱（ａ）に押し込めることにより生じたこの相対的な移動により、毒餌含有ブリスター（ｄ）が効率的に開かれる。
【００３５】
代替的な実施形態では、毒餌箱には弾性的に配置されたブレードは設けられていないが、蓋に固定して連結されたブレードが設けられている。公知毒餌箱と同様に、該蓋は開けることができる。ここでも同様に、毒餌を有している密閉包装を該毒餌箱内に配置するが、その密閉包装は、予め開けなくてはならない。該毒餌箱の蓋が閉められると、ブレードによって、該包装の蓋が開けられる。この実施形態では、側面ポートはなくてもよい。
【００３６】
該毒餌箱には、毒餌含有ブリスターが見えるように配置された透明な部分が設けられていてもよい。そのようにして、当該毒餌箱を開ける必要なく、利用可能な毒餌の量を見積もることが可能であり、また、補充の必要性を判断することができる。該透明な部分は、好ましくは、毒餌箱の上部に配置する。
【００３７】
毒餌箱は、プラスチック材料、金属材料又は複合材料で作ることができる。プラスチックを用いるのが好ましい。特に適しているプラスチックは、射出成形により加工可能なプラスチックである。
【００３８】
該毒餌箱の寸法は、防除対象の有害生物に合うように適合させる。一般に、該毒餌箱の寸法は、少なくとも１匹の有害生物がその毒餌箱内で動くことが可能であり且つさらに毒餌のための空間を利用することが可能であるような寸法である。毒餌箱の適切な寸法の決定は、当業者には知られており、また、上記従来技術及び市販されている毒餌箱から推定することも可能である。
【００３９】
さらに別の実施形態では、該毒餌箱は、開けることができないように設計される。これにより、使用者に対する該毒餌箱の安全性がさらに改善される。
【００４０】
種々の代替的な好ましい実施形態を、互いに組み合わせることが可能である。
【００４１】
本発明は、さらに、有害生物を防除するシステムにについても記述し、ここで、該システムは、上記で記載した毒餌箱及びそれに適合させてある上記で記載した毒餌含有ブリスターからなる。そのような適合は、毒餌含有ブリスターと毒餌箱の充填ポッドを整合させることにより達成される。そのような適合は、さらに、毒餌箱の寸法、毒餌含有ブリスターの充填量及び毒餌の選択を、防除対象の有害生物及び毒餌を入れる毒餌箱に適合させることによって達成され得る。そのような適合は、さらに、該ブリスターフィルムの材料と該ブレードの材料を、該ブリスターが効率よく開けられるように互いに整合させることによって達成され得る。そのような適合は、単純な計算と日常的な実験を用いて、当業者自身が実施可能である。
【００４２】
本発明のシステムは、以下の有利点を有する。
【００４３】
・  新鮮で、適切な場合には湿った毒餌（これは、特に誘引性である）の使用が可能となる；
・  毒餌の包装を開ける必要がない；
・  こぼすことに起因する毒餌による環境汚染及び皮膚汚染の危険性がない；
・  製造元の技術的なデータに従う最適分量で毒餌が提供される；
・  毒餌が毒餌箱から落ちることがなく、また、持ち去られることもない。
【００４４】
本発明は、さらに、毒餌箱と毒餌含有ブリスターを使用して有害生物を防除する方法にも関し、ここで、該方法は、
第一段階において、請求項１〜４に記載の１つ以上の毒餌箱を適切な場所に配置する；
第二段階において、開けられていない毒餌含有ブリスターを当該毒餌箱の中に導入する（導入される過程において、該毒餌含有ブリスターが開けられる）；
第三段階において、毒餌を入れた該毒餌箱を用いて当該有害生物を防除する；
及び、
第四段階において、該防除手順が終了するまで、消費された毒餌含有ブリスターを未使用の毒餌含有ブリスターと置き換える；
ことを特徴とする。
【００４５】
本発明は、さらに、ＥＰ−Ａ  １３８９０３９に記載されている方法における本発明の毒餌箱の使用にも関する。この刊行物及びそれに記載されている方法は、本明細書において特に言及される。
【実施例】
【００４６】
使用実施例：  ハツカネズミを防除するための毒餌システム
毒餌箱（ａ）は、１２ｃｍ×７ｃｍ×３ｃｍ（Ｌ×Ｗ×Ｈ）の寸法を有し、ハツカネズミのための２つの進入路（ｂ）を有する。ブレード（ｄ）が、該毒餌箱の蓋に弾性的に固定されており、また、ブレード（ｄ）にはフック（ｇ）が設けられており、このフックを用いて毒餌箱を空にするためにそれを引き上げることができる。それは、できるだけ大きな裂け目をもたらすように曲線状に曲げられている。ポート（ｃ）を介して包装された毒餌（ｅ）を毒餌箱に押し込めるが、その際、それは、２つの水平壁（ｆ）により適切な位置に固定される。その包装（４ｃｍ×４ｃｍ×１．１ｃｍ）は、約１３ｃｍ３の毒餌ゲルを含んでいる。該包装を押すと（図２）、該ブレードは上方に押し上げられる。いったん毒餌容器が最終的な位置に到達すると、該ブレードは下方に向かって解放され、該ブリスターの外側壁にそって下方に滑って進み、該毒餌包装のフィルムを引き裂いて開口部を開ける。ハツカネズミはすぐにその毒餌の臭いに気付くので、当該包装におけるそのような裂け目はハツカネズミを引き寄せるのには充分である。より充分に毒餌に届くように、ハツカネズミは該フィルムをさらに引き裂き、押しやるであろう。
【００４７】
以下の図面は、本発明の毒餌箱及び本発明のシステムの可能な実施形態を示しており、また、該毒餌箱の使用について例証している。
【図面の簡単な説明】
【００４８】
【図１】本発明の毒餌箱及びシステムの可能な実施形態を示す図である。
【図２】本発明の毒餌箱及びシステムの可能な実施形態を示す図である。
【図３】本発明の毒餌箱及びシステムの可能な実施形態を示す図である。
【符号の説明】
【００４９】
ａ  毒餌箱
ｂ  有害生物のための進入路
ｃ  挿入ポート
ｄ  開けるための装置（ブレード）
ｅ  毒餌含有ブリスター
ｆ  毒餌含有ブリスターを保持するための壁
ｇ  アンロック要素（フック／ハンドル）
【図１】
2007535952.tif 000003
【図２】
2007535952.tif 000004
【図３】
2007535952.tif 000005
【国際調査報告】
2007535952.tif 000006
2007535952.tif 000007
2007535952.tif 000008
2007535952.tif 000009
2007535952.tif 000010
2007535952.tif 000011